(57)【特許請求の範囲】
【請求項１】
光ピックアップと、
該光ピックアップを移動可能に支持するガイドシャフトと、
リードスクリューと、
前記光ピックアップに固定され、前記リードスクリューに向けて片持ち状態に延出し、噛合い歯が前記リードスクリューに噛合し、前記リードスクリューの回転に追従して送り移動される樹脂製のティースと、
前記噛合い歯を前記リードスクリューに対する噛合い方向に付勢するティーススプリングとを備え、
前記ティースは、前記光ピックアップに固定されるティース本体と、該ティース本体から前記リードスクリュー側に突出した複数の支持片部と、それぞれの支持片部の突出端に基部を有して前記リードスクリューの軸方向に直交する方向に延出した複数の樹脂バネ片部と、該樹脂バネ片部の延出端に基部を有して前記リードスクリューの軸方向に平行な方向に形成された板部と、該板部の前記リードスクリュー側に形成された前記噛合い歯と、前記支持片部及び／又は前記樹脂バネ片部の間に渡って形成される連結部とを備え、
前記ティーススプリングは、前記樹脂バネ片部同士の間に、前記ティース本体と前記板部とを付勢するように配設されていることを特徴とする光ディスク装置のドライブ装置。
【請求項２】
前記樹脂バネ片部は２つであり、前記連結部は前記樹脂バネ片部の前記支持片部側の基部同士を連結していることを特徴とする請求項１記載の光ディスク装置のドライブ装置。
【請求項３】
前記連結部は前記樹脂バネ片部と同じ厚みであることを特徴とする請求項２記載の光ディスク装置のドライブ装置。
【発明の詳細な説明】
【技術分野】
【０００１】
本発明は、ＣＤ、ＤＶＤ、ＢＤ（Blu-ray Disc）等に対して記録／再生を行う光ディスク装置のドライブ装置に関する。
【背景技術】
【０００２】
一般的な光ディスク装置のドライブ装置に備えられる光ピックアップの送り装置は、リードスクリューと、リードスクリューに噛み合ったままそのリードスクリューの回転に追従して送り移動される樹脂製のティースとを備え、さらに、ティースが、ガイドシャフトに沿って移動可能な光ピックアップに取り付けられて上記リードスクリューの軸線に直交する方向に向け片持ち状態に延び出ていると共に、そのティースを背部から弾性付勢してその噛合い歯を上記リードスクリューに対する噛合い方向に付勢するティーススプリングを備えている。そして近年、この光ディスク装置の機構を改善したものが種々提案されている。
【０００３】
例えば特許文献１には、リードスクリューと、リードスクリューに噛み合ったままそのリードスクリューの回転に追従して送り移動される樹脂製の歯付き体とを備え、上記歯付き体が、傾角調整されるガイド軸に沿って移動可能な光ピックアップに取り付けられて上記リードスクリューの軸線に直交する方向に向け片持ち状態に延び出ていると共に、その歯付き体を背部から弾発付勢してその噛合い歯を上記リードスクリューに対する噛合い方向に付勢するばね体を備える光ピックアップの送り装置において、上記歯付き体の噛合い歯と上記リードスクリューとの噛合い位置に対する上記ばね体による上記歯付き体の付勢位置を、上記噛合い位置よりもその歯付き体の自由端側にオフセットさせてある構成が開示されている。
【０００４】
また特許文献２には、光ディスクに対してレーザ光を照射して情報の記録再生を行う光ピックアップが光ディスクの半径方向に移動するように用いられ、リードスクリューシャフトに当接する当接部とラック本体とを備えた光ピックアップモジュール用ラックであって、前記当接部と前記ラック本体とが対向して配置され、その間に弾性部材が設けられた構成であり、前記当接部に上向きの外力が加わったときの前記弾性部材の変形形状と下向きの外力が加わったときの前記弾性部材の変形形状がほぼ同等である構成が開示されている。
【０００５】
また特許文献３には、情報記憶媒体を保持する保持手段と、前記情報記憶媒体の情報を読み取るまたは読み書きする読取手段と、前記読取手段（または前記保持手段）を前記情報記憶媒体に対して平行で摺動自在に保持するガイド手段と、前記読取手段（または前記保持手段）の位置を摺動方向に移動させて前記情報記憶媒体における情報を読み取る位置を変える、または読み書きする位置を変える送り手段と、前記保持手段（または前記読取手段）と前記ガイド手段と前記送り手段とを支持するシャーシと、を備える情報記憶装置であって、前記送り手段が、前記ガイド手段に略平行で円柱状の表面に螺旋溝を形成したリードスクリューと、前記リードスクリューを回転駆動する駆動手段と、前記読取手段（または前記保持手段）に設けられ、かつ前記螺旋溝に係合し、駆動力を前記リードスクリューから前記読取手段（または前記保持手段）に伝達する伝達手段とを備え、前記伝達手段が、前記螺旋溝に対して前記リードスクリューのガイド手段側で摺動自在に係合する歯部と、前記読取手段（または前記保持手段）に固定する取付部と、前記歯部を前記螺旋溝に対して係合、および離間可能に前記取付部とつなぐヒンジ部とで構成された係合手段とを備え、前記歯部の前記螺旋溝から係合がはずれる方向への変位に対して、前記歯部と前記螺旋溝の係合がはずれる前に、前記歯部が、前記ガイド手段、前記読取手段（または前記保持手段）、前記取付部、前記シャーシのいずれかに当接して、前記歯部の変位量を規制した構成が開示されている。
【先行技術文献】
【特許文献】
【０００６】
【特許文献１】特開２００８−２５７８２６号公報
【特許文献２】特開２００５−２１６３４４号公報
【特許文献３】特開平１１−２２４４６９号公報
【発明の概要】
【発明が解決しようとする課題】
【０００７】
近年の光ディスク装置の小型化の要請に応えるため、ドライブ装置を薄型化しようとすると、当然ティースも薄型化する必要がある。しかしながら、特許文献１〜３ではティースの薄型化に関しては触れられていない。ここで、単純に従来のティースを薄型にすると設計要件を満たさなくなるという問題が生じる。設計要件としては、組み立てにおけるティーススプリングの挿入時にティースに作用する応力によってティースが折れないこと、ティースがリードスクリューに付勢する際にティースが十分に変位すること、歯飛び時にティースが折れないことなどがある。
【０００８】
本発明は、ティースを薄型化した際に設計要件を満たす強度を確保することで、薄型の光ディスク装置のドライブ装置を提供することを目的とする。
【課題を解決するための手段】
【０００９】
上記目的を達成するために本発明の光ディスク装置のドライブ装置は、光ピックアップと、該光ピックアップを移動可能に支持するガイドシャフトと、リードスクリューと、前記光ピックアップに固定され、前記リードスクリューに向けて片持ち状態に延出し、噛合い歯が前記リードスクリューに噛合し、前記リードスクリューの回転に追従して送り移動される樹脂製のティースと、前記噛合い歯を前記リードスクリューに対する噛合い方向に付勢するティーススプリングとを備え、前記ティースは、前記光ピックアップに固定されるティース本体と、該ティース本体から前記リードスクリュー側に突出した複数の支持片部と、それぞれの支持片部の突出端に基部を有して前記リードスクリューの軸方向に直交する方向に延出した複数の樹脂バネ片部と、該樹脂バネ片部の延出端に基部を有して前記リードスクリューの軸方向に平行な方向に形成された板部と、該板部の前記リードスクリュー側に形成された前記噛合い歯と、前記支持片部及び／又は前記樹脂バネ片部の間に渡って形成される連結部とを備え、前記ティーススプリングは、前記樹脂バネ片部同士の間に、前記ティース本体と前記板部とを付勢するように配設されていることを特徴とする。
【００１０】
上記の光ディスク装置のドライブ装置において、前記樹脂バネ片部は２つであり、前記連結部は前記樹脂バネ片部の前記支持片部側の基部同士を連結していることが望ましい。
【００１１】
また上記の光ディスク装置のドライブ装置において、前記連結部は前記樹脂バネ片部と同じ厚みであることが望ましい。
【発明の効果】
【００１２】
本発明によると、ティースに連結部を設けることにより、ティースを薄型化した際に設計要件を満たす強度を確保することができるので、薄型の光ディスク装置のドライブ装置を実現することができる。
【図面の簡単な説明】
【００１３】
【図１Ａ】本発明の光ディスク装置のドライブ装置の平面図である。
【図１Ｂ】本発明の光ディスク装置のドライブ装置の正面図である。
【図１Ｃ】本発明の光ディスク装置のドライブ装置の左側面図である。
【図１Ｄ】本発明の光ディスク装置のドライブ装置の右側面図である。
【図１Ｅ】本発明の光ディスク装置のドライブ装置の背面図である。
【図１Ｆ】本発明の光ディスク装置のドライブ装置の底面図である。
【図２Ａ】図１Ａにおいてカバーとディスクトレイとを取り除いた図である。
【図２Ｂ】図１Ｂにおいてカバーとディスクトレイとを取り除いた図である。
【図２Ｃ】図１Ｃにおいてカバーとディスクトレイとを取り除いた図である。
【図２Ｄ】図１Ｄにおいてカバーとディスクトレイとを取り除いた図である。
【図２Ｅ】図１Ｅにおいてカバーとディスクトレイとを取り除いた図である。
【図２Ｆ】図１Ｆにおいてカバーとディスクトレイとを取り除いた図である。
【図３Ａ】本発明のトラバースアッシー及びレバーアームの平面図である。
【図３Ｂ】本発明のトラバースアッシー及びレバーアームの正面図である。
【図３Ｃ】本発明のトラバースアッシー及びレバーアームの左側面図である。
【図３Ｄ】本発明のトラバースアッシー及びレバーアームの右側面図である。
【図３Ｅ】本発明のトラバースアッシー及びレバーアームの背面図である。
【図３Ｆ】本発明のトラバースアッシー及びレバーアームの底面図である。
【図４Ａ】本発明のトラバースアッシーの平面図である。
【図４Ｂ】本発明のトラバースアッシーの正面図である。
【図４Ｃ】本発明のトラバースアッシーの左側面図である。
【図４Ｄ】本発明のトラバースアッシーの右側面図である。
【図４Ｅ】本発明のトラバースアッシーの背面図である。
【図４Ｆ】本発明のトラバースアッシーの底面図である。
【図５Ａ】本発明のティースの平面図である。
【図５Ｂ】本発明のティースの正面図である。
【図５Ｃ】本発明のティースの左側面図である。
【図５Ｄ】本発明のティースの右側面図である。
【図５Ｅ】本発明のティースの背面図である。
【図５Ｆ】本発明のティースの底面図である。
【図６Ａ】比較例のティースの平面図である。
【図６Ｂ】比較例のティースの正面図である。
【図６Ｃ】比較例のティースの左側面図である。
【図６Ｄ】比較例のティースの右側面図である。
【図６Ｅ】比較例のティースの背面図である。
【図６Ｆ】比較例のティースの底面図である。
【発明を実施するための形態】
【００１４】
図１Ａ〜図１Ｆは本発明の光ディスク装置のドライブ装置の六面図であり、図１Ａは平面図、図１Ｂは正面図、図１Ｃは左側面図、図１Ｄは右側面図、図１Ｅは背面図、図１Ｆは底面図である。また、図２Ａ〜図２Ｆは図１Ａ〜図１Ｆにおいてそれぞれ上面のカバーとディスクトレイとを取り除いた状態の図である。また、図３Ａ〜図３Ｆはトラバースアッシー１４及びレバーアーム１５の六面図であり、図３Ａは平面図、図３Ｂは正面図、図３Ｃは左側面図、図３Ｄは右側面図、図３Ｅは背面図、図３Ｆは底面図である。また、図４Ａ〜図４Ｆはトラバースアッシー１４の六面図であり、図４Ａは平面図、図４Ｂは正面図、図４Ｃは左側面図、図４Ｄは右側面図、図４Ｅは背面図、図４Ｆは底面図である。
【００１５】
光ディスク装置は外観を形成する装置本体の筐体内にドライブ装置１０を収容している。ドライブ装置１０は、ドライブ装置１０の各部材を収容するローダーシャーシ１１と、ローダーシャーシ１１の上面開口部を覆うカバー１２と、光ディスクを搬送するディスクトレイ１３と、ディスクトレイ１３の搬送方向（前後方向）に略垂直な方向（上下方向）に旋回して昇降可能なトラバースアッシー１４と、トラバースアッシー１４の下面の一部（本実施形態では下面の前端付近）を覆ってトラバースアッシー１４を支持するとともに上下動する平面視略Ｕ字型のレバーアーム１５と、レバーアーム１５の前部とカム係合し、左右方向（ディスクトレイ１３の搬送方向及びトラバースアッシー１４の昇降方向と略直交する方向）に移動してレバーアーム１５を上下動させるカムスライダー１６と、ディスクトレイ１３及びカムスライダー１６を複数のギヤを介して駆動するモーター（不図示）とを備えている。
【００１６】
トラバースアッシー１４は、各部材を載せるためのトラバースシャーシ２０と、光ピックアップユニット（ＯＰＵ）２１と、ＯＰＵ２１を光ディスクの径方向（前後方向）に移動可能に支持する２本のガイドシャフト２２、２２と、ＯＰＵ２１駆動用のステッピングモーター２３と、ステッピングモーター２３に接続されたリードスクリュー２４と、ＯＰＵ２１に固定され、リードスクリュー２４に向けて片持ち状態に延出し、噛合い歯がリードスクリュー２４に噛合し、リードスクリュー２４の回転に追従して送り移動される樹脂製のティース２５と、噛合い歯をリードスクリュー２４に対する噛合い方向に付勢するティーススプリング３２（図３Ｆ参照）と、トラバースシャーシ２０の上面の前寄り部分に設けられ、光ディスクを回転させるスピンドルモーター２６と、スピンドルモーター２６を載せたスピンドルモーター用ＰＣＢ（プリント基板）２７（図４Ｂ参照）と、トラバースシャーシ２０の下面に設けられ、ドライブ装置１０全体を制御するためのＰＣＢ２８（図４Ｆ参照）と、一端がスピンドルモーター用ＰＣＢ２７に接続され、トラバースシャーシ２０の前方からトラバースシャーシ２０の下側に回り込んでトラバースシャーシ２０とレバーアーム１５の間を通ってＰＣＢ２８に他端が接続されたスピンドルモーター用ＦＦＣ（フレキシブルフラットケーブル）２９（図４Ａ参照）とを備えている。
【００１７】
トラバースアッシー１４は、トラバースシャーシ２０の前端２点で係止手段３０、３０によりレバーアーム１５に係止され、トラバースシャーシ２０の後端２点で係止手段３１、３１によりローダーシャーシ１１に係止されている。係止手段３０、３１は、ゴム製のＯリング及びビスである。
【００１８】
上記構成の光ディスク装置において、引き出された状態のディスクトレイ１３に光ディスクが載置されると、モーターの駆動によりディスクトレイ１３がディスク装置１０内に搬送される。ディスクトレイ１３が所定位置に配されると、ディスクトレイ１３へのモーターの駆動力の伝達が解除されてディスクトレイ１３が停止し、モーターの駆動によりカムスライダー１６が移動し、トラバースアッシー１４を上昇させる。これにより、トラバースアッシー１４が光ディスクに係合し、光ディスクがチャックされる。
【００１９】
光ディスクがチャックされると、カムスライダー１６へのモーターの駆動力伝達が解除されてカムスライダー１６及びトラバースアッシー１４が停止する。続いてステッピングモーター２３の駆動によりＯＰＵ２１が所定位置に移動し、光ディスクに対して記録又は再生を行う。また、光ディスクを取り出す際には上記と逆の動作が行われる。
【００２０】
次に、ティース２５の構造について詳しく説明する。図５Ａ〜図５Ｆはティース２５の六面図であり、図５Ａは平面図、図５Ｂは正面図、図５Ｃは左側面図、図５Ｄは右側面図、図５Ｅは背面図、図５Ｆは底面図である。
【００２１】
ティース２５は、ＰＯＭ（polyoxymethylene）等を射出成形等して形成され、ＯＰＵ２１の下面側にビス等で固定されるティース本体２５ａと、ティース本体２５ａからリードスクリュー２４側に突出した複数（本実施形態では２つ）の支持片部２５ｂ、２５ｂと、それぞれの支持片部２５ｂ、２５ｂの突出端に基部を有してリードスクリュー２４の軸方向に直交する方向に延出した複数（本実施形態では２つ）の樹脂バネ片部２５ｃ、２５ｃと、樹脂バネ片部２５ｃ、２５ｃの延出端に基部を有してリードスクリュー２４の軸方向に平行な方向に形成された板部２５ｄと、板部２５ｄのリードスクリュー２４側に形成された突条の噛合い歯２５ｅ、２５ｅと、支持片部２５ｂ、２５ｂ及び／又は樹脂バネ片部２５ｃ、２５ｃの間に渡って形成される（本実施形態では樹脂バネ片部２５ｃ、２５ｃの支持片部２５ｂ、２５ｂ側の基部同士の間に渡って形成される）連結部２５ｆとを備えている。
【００２２】
本実施形態では、樹脂バネ片部、２５ｃの厚みが支持片部、２５ｂの厚みより薄く形成されている。また、連結部２５ｆは樹脂バネ片部２５ｃ、２５ｃと同じ厚みとなっている。また、連結部２５ｆの平面視の幅は樹脂バネ片部２５ｃ、２５ｃ及び支持片部２５ｂ、２５ｂの平面視の幅より狭く、樹脂バネ片部２５ｃ、２５ｃの平面視の幅は支持片部２５ｂ、２５ｂの平面視の幅より狭くなっている。
【００２３】
なお、樹脂バネ片部２５ｃ及び支持片部２５ｂは３つ以上設けてもよい。その場合でも、連結部２５ｆは少なくとも１つ設ければよく、各樹脂バネ片部２５ｃ及び／又は支持片部２５ｂの間にそれぞれ１つ又は複数設けてもよい。連結部２５ｆはティーススプリング３２の邪魔にならないように形成すれば、その形状には特に限定はなく、直線形状、湾曲形状、屈曲形状などとすることができる。
【００２４】
ティーススプリング３２は、コイル状の圧縮バネであり、樹脂バネ片部２５ｃ同士の間に、ティース本体２５ａと板部２５ｄとを付勢するように配設されている。具体的には、ティース本体２５ａと板部２５ｄとが対向する部分にそれぞれ突起２５ｇ、２５ｈが対向して形成されており、突起２５ｇ、２５ｈにティーススプリング３２の両端部がそれぞれ嵌め込まれることで、ティーススプリング３２が抜け落ちないように支持されている。
【００２５】
このような構成においてステッピングモーター２３が駆動すると、リードスクリュー２４が回転し、ティース２５の噛合い歯２５ｅ、２５ｅに駆動力が伝達され、ティース２５及びそれに固定されたＯＰＵ２１がガイドシャフト２２、２２に沿って送り移動される。
【００２６】
一方、比較例として薄型化に対応していないティースについて説明する。図６Ａ〜図６Ｆは比較例のティースの六面図であり、図６Ａは平面図、図６Ｂは正面図、図６Ｃは左側面図、図６Ｄは右側面図、図６Ｅは背面図、図６Ｆは底面図である。
【００２７】
このティース１００は、ＯＰＵの下面側にビス等で固定されるティース本体１００ａと、ティース本体１００ａからリードスクリュー側に突出した２つの支持片部１００ｂ、１００ｂと、それぞれの支持片部１００ｂ、１００ｂの突出端に基部を有してリードスクリューの軸方向に直交する方向に延出した２つの樹脂バネ片部１００ｃ、１００ｃと、樹脂バネ片部１００ｃ、１００ｃの延出端に基部を有してリードスクリューの軸方向に平行な方向に形成された板部１００ｄと、板部１００ｄのリードスクリュー側に形成された噛合い歯１００ｅ、１００ｅと、ティーススプリングの両端部がそれぞれ嵌め込まれる突起１００ｇ、１００ｈを備えている。
【００２８】
本発明のティース２５と比較例のティース１００とを比較すると、本発明のティース２５は比較例のティース１００よりも顕著に薄くなっている。したがって、樹脂バネも短くなっている。樹脂バネは短くなると弾性力が強く硬くなるので、弾性力を適度に弱めるために、本発明のティース２５では樹脂バネ片部２５ｃの支持片部２５ｂ、２５ｂ側の基部からリードスクリュー２４側に延出している部分の厚みを比較例よりも薄くしている。
【００２９】
また、本発明のティース２５ではリードスクリュー２４側に突出する支持片部２５ｂ及び樹脂バネ片部２５ｃの長さを比較例より長くしている。これは樹脂バネの変位量を十分に確保して歯飛びを防止するためである。比較例と同じ長さの設計では薄型化した分だけ樹脂バネの変位量が小さくなり、ティーススプリングによってリードスクリューへ十分に付勢できなくなって歯飛びが生じる。
【００３０】
また、本発明のティース２５では比較例のティース１００にない連結部２５ｆを設けている。これは支持片部２５ｂ、２５ｂ及び／又は樹脂バネ片部２５ｃ、２５ｃの強度を補強し、組み立てにおけるティーススプリング３２の挿入時にティース２５に作用する応力によって支持片部２５ｂ、２５ｂ及び／又は樹脂バネ片部２５ｃ、２５ｃが折れないようにするとともに、噛合い歯２５ｅ、２５ｅの歯飛び時に作用する応力によって支持片部２５ｂ、２５ｂ及び／又は樹脂バネ片部２５ｃ、２５ｃが折れないようにするためである。連結部２５ｆがないと、リードスクリュー２４側に突出する支持片部２５ｂ及び樹脂バネ片部２５ｃの長さが長くなった分だけ折れやすくなる。
【００３１】
このように、本発明のティース２５は設計要件を満たしつつ薄型化しているので、薄型の光ディスク装置のドライブ装置を実現することができる。
【産業上の利用可能性】
【００３２】
本発明は、ＣＤ、ＤＶＤ、ＢＤ等に対して記録／再生を行う光ディスク装置に利用でき、例えば、ＢＤ・ＤＶＤプレーヤ、ＢＤ・ＤＶＤレコーダ、テレビ一体型ＢＤ・ＤＶＤレコーダ、ＢＤ・ＤＶＤ記録再生装置搭載のパーソナルコンピュータなどが挙げられる。
【符号の説明】
【００３３】
１０  ドライブ装置
２１  光ピックアップ
２２  ガイドシャフト
２４  リードスクリュー
２５  ティース
２５ａ  ティース本体
２５ｂ  支持片部
２５ｃ  樹脂バネ片部
２５ｄ  板部
２５ｅ  噛合い歯
２５ｆ  連結部
３２  ティーススプリング
【図１Ａ】
0005278463.tif 000002
【図１Ｂ】
0005278463.tif 000003
【図１Ｃ】
0005278463.tif 000004
【図１Ｄ】
0005278463.tif 000005
【図１Ｅ】
0005278463.tif 000006
【図１Ｆ】
0005278463.tif 000007
【図２Ａ】
0005278463.tif 000008
【図２Ｂ】
0005278463.tif 000009
【図２Ｃ】
0005278463.tif 000010
【図２Ｄ】
0005278463.tif 000011
【図２Ｅ】
0005278463.tif 000012
【図２Ｆ】
0005278463.tif 000013
【図３Ａ】
0005278463.tif 000014
【図３Ｂ】
0005278463.tif 000015
【図３Ｃ】
0005278463.tif 000016
【図３Ｄ】
0005278463.tif 000017
【図３Ｅ】
0005278463.tif 000018
【図３Ｆ】
0005278463.tif 000019
【図４Ａ】
0005278463.tif 000020
【図４Ｂ】
0005278463.tif 000021
【図４Ｃ】
0005278463.tif 000022
【図４Ｄ】
0005278463.tif 000023
【図４Ｅ】
0005278463.tif 000024
【図４Ｆ】
0005278463.tif 000025
【図５Ａ】
0005278463.tif 000026
【図５Ｂ】
0005278463.tif 000027
【図５Ｃ】
0005278463.tif 000028
【図５Ｄ】
0005278463.tif 000029
【図５Ｅ】
0005278463.tif 000030
【図５Ｆ】
0005278463.tif 000031
【図６Ａ】
0005278463.tif 000032
【図６Ｂ】
0005278463.tif 000033
【図６Ｃ】
0005278463.tif 000034
【図６Ｄ】
0005278463.tif 000035
【図６Ｅ】
0005278463.tif 000036
【図６Ｆ】
0005278463.tif 000037